(57)【要約】  シェービング用かみそり（１０）及びカートリッジ（１２）は、１つ以上のシェービングエイド部分（３１Ａ、３１Ｂ）が含まれることを特徴とする。ある場合、かみそり及びカートリッジには、シェービング中にシェービングエイド部分の表面に圧力が付加された時に、シェービングエイド部分が撓むことができるように構成された、シェービングエイドホルダー（３０）が含まれる。
2008516677.tif 000002
【特許請求の範囲】
【請求項１】
シェービングカートリッジであって、
前縁部及び後縁部を有するハウジングと、
前記前縁部及び前記後縁部の間の１枚以上のシェービングブレードと、
前記ハウジング上に取り付けられた、少なくとも１つの中実シェービングエイド部分を担持するシェービングエイドホルダーであって、シェービング中に前記シェービングエイド部分の表面に圧力が付加された時に、前記シェービングエイド部分が撓むことができるように構成されているシェービングエイドホルダーと、を備えるシェービングカートリッジ。
【請求項２】
前記シェービングエイドホルダーは、２つのシェービングエイド部分を担持し、
前記シェービングエイドホルダーは、シェービング中に前記シェービングエイド部分の表面に圧力が付加された時に、それぞれのシェービングエイド部分が撓むことができるように構成されたものである、請求項１に記載のシェービングカートリッジ。
【請求項３】
前記シェービングエイドホルダーは、前記シェービングエイド部分を保持するように構成された一対のウイングを含む、請求項２に記載のシェービングカートリッジ。
【請求項４】
前記シェービングエイドホルダーはフレームを含み、
前記ウィングは、前記フレーム上に弾力的に取り付けられている、請求項３に記載のシェービングカートリッジ。
【請求項５】
前記ウィングを前記フレームに連結する一対の可撓性ヒンジを更に含む、請求項４に記載のシェービングカートリッジ。
【請求項６】
前記ヒンジはエラストマー材を含む、請求項５に記載のシェービングカートリッジ。
【請求項７】
前記ヒンジはエラストマー材だけを含む、請求項６に記載のシェービングカートリッジ。
【請求項８】
前記シェービングエイド部分が、少なくとも約１０度の撓み角度まで撓むことができる、請求項１に記載のシェービングカートリッジ。
【請求項９】
前記エラストマー材が、約０．６９〜２．０７ＭＰａ（１００〜３００ｐｓｉ）の曲げ弾性率を有する、請求項６に記載のシェービングカートリッジ。
【請求項１０】
前記エラストマー材が約５０ショアＡ未満の硬さを有する、請求項６に記載のシェービングカートリッジ。
【請求項１１】
前記エラストマー材が約４０ショアＡ未満の硬さを有する、請求項１０に記載のシェービングカートリッジ。
【請求項１２】
前記ハウジングが一対の側縁部を有し、
前記かみそりのどの部分も、前記側縁部の先へ横方向に延びない、請求項１に記載のシェービングカートリッジ。
【請求項１３】
前記ハウジングが一対の側縁部を有し、
前記シェービングエイド部分が、前記側縁部の先へ０〜２ｍｍ延びる、請求項１に記載のシェービングカートリッジ。
【請求項１４】
前記シェービングエイドホルダーが、前記ハウジングの上に留められるように構成されている、請求項１に記載のシェービングカートリッジ。
【請求項１５】
前記シェービングエイドホルダーはフレームを含み、
前記フレームの内側縁部（複数）が、前記ハウジングの側縁部（複数）にオーバーラップする、請求項１４に記載のシェービングカートリッジ。
【請求項１６】
前記シェービングエイドホルダーが、消費者により前記ハウジングから取外し可能なように構成されている、請求項１４に記載のシェービングカートリッジ。
【請求項１７】
前記シェービングエイドホルダーが、消費者により前記ハウジングに取り付けられるように構成されている、請求項１４に記載のシェービングカートリッジ。
【請求項１８】
前記シェービングエイドホルダーが前記ハウジングと一体である、請求項１に記載のシェービングカートリッジ。
【請求項１９】
前記２つのシェービングエイド部分が異なる組成物を有する、請求項２に記載のシェービングカートリッジ。
【請求項２０】
１つのシェービングエイド部分が、潤滑性シェービング準備物を含み、
他方のシェービングエイド部分が、皮膚コンディショニング準備物を含む、請求項１９に記載のシェービングカートリッジ。
【請求項２１】
シェービング中に前記シェービングエイド部分が皮膚に接触する時、前記カートリッジが揺れ戻ることがないよう、前記シェービングエイド部分は、前記前縁部の前方に配置されるとともに、皮膚に接触すると前記シェービングエイド部分を撓ませるような輪郭にされた先導縁部を含む、請求項１に記載のシェービングカートリッジ。
【請求項２２】
前記シェービングエイド部分が使い尽くされた時に、エラストマー材がユーザーの皮膚に接触するように配置された、前記ウイング上に取り付けられたエラストマー部分を更に含む、請求項３に記載のシェービングカートリッジ。
【請求項２３】
それぞれのウイングは、前記シェービングエイドを前記ウイングに固定するように構成された、少なくとも１つの開口を含む、請求項３に記載のシェービングカートリッジ。
【請求項２４】
前記シェービングエイド部分が、前記前縁部及び後縁部によって画定される平面に対して撓みのない姿勢である時、前記ウイングが下向きに延びている、請求項３に記載のシェービングカートリッジ。
【請求項２５】
前記シェービングエイド部分が撓んだ時、前記シェービングエイド部分のどの部分も、前記前縁部及び後縁部によって画定される平面より上に延びない、請求項１に記載のシェービングカートリッジ。
【請求項２６】
前記シェービングエイド部分が撓んだ時、前記シェービングエイド部分のどの部分も、前記前縁部及び後縁部によって画定される平面より上に延びない、請求項２又は２４に記載のシェービングカートリッジ。
【請求項２７】
前記シェービングエイド部分が、磨耗の表示をユーザーに提供するように構成されている、請求項１に記載のシェービングカートリッジ。
【請求項２８】
前記シェービングエイド部分は、前記シェービングエイドが使い尽くされた時に出現または消滅するしるしを含む、請求項２７に記載のシェービングカートリッジ。
【請求項２９】
前記シェービングエイド部分の下にある潤滑性ストリップを更に含む、請求項２９に記載のシェービングカートリッジ。
【請求項３０】
シェービングカートリッジであって、
前縁部及び後縁部を有するハウジングと、
前記前縁部及び前記後縁部の間の１枚以上のシェービングブレードと、
前記ハウジング上に取り付けられた、一対の中実シェービングエイド部分を担持するシェービングエイドホルダーであって、前記２つのシェービングエイド部分が異なる組成物を有するシェービングエイドホルダーと、を備える、シェービングカートリッジ。
【請求項３１】
１つのシェービングエイド部分が、潤滑性シェービング準備物を含み、
他方のシェービングエイド部分が、皮膚コンディショニング準備物を含む、請求項３０に記載のシェービングカートリッジ。
【請求項３２】
シェービングカートリッジであって、
前縁部及び後縁部を有するハウジングと、
前記前縁部及び前記後縁部の間の１枚以上のシェービングブレードと、
前記ハウジング上に取り付けられた、少なくとも１つの中実シェービングエイド部分を担持するシェービングエイドホルダーと、を備え、
前記ハウジングが一対の側縁部を有し、
前記シェービングエイド部分が、前記側縁部のそれぞれの先へ０〜２ｍｍ延びている、シェービングカートリッジ。
【請求項３３】
前記カートリッジのどの部分も、前記側縁部のそれぞれの先へ２ｍｍを超えて延びない、請求項３２に記載のシェービングカートリッジ。
【請求項３４】
シェービング用かみそりであって、
ハンドルと、
前記ハンドル上に取り付けられたカートリッジと、を備え、
当該カートリッジは、
前縁部及び後縁部を有するハウジングと、
前記前縁部及び前記後縁部の間の１枚以上のシェービングブレードと、
前記ハウジング上に取り付けられた、少なくとも１つの中実シェービングエイド部分を担持するシェービングエイドホルダーであって、シェービング中に前記シェービングエイド部分の表面に圧力が付加された時に、前記シェービングエイド部分が撓むことができるように構成されているシェービングエイドホルダーと、を含むシェービング用かみそり。
【請求項３５】
前記カートリッジが、前記ハンドル上に旋回するように取り付けられている、請求項３４に記載のかみそり。
【請求項３６】
前記カートリッジが、前記ハンドル上に取外し可能に取り付けられている、請求項３４又は３５に記載のかみそり。
【請求項３７】
前記カートリッジは、噛み合い係合にて前記ハンドルの端部分を受け入れるように構成されたハンドル受入れ領域を有する、連結部分を含む、請求項３５に記載のかみそり。
【請求項３８】
前記連結部分は、前記ハウジングを前記連結部分に旋回するように連結する、シェル軸受連結部を更に含む、請求項３７に記載のかみそり。
【請求項３９】
前記シェービングエイドホルダーが、前記カートリッジと共に旋回するように構成されている、請求項３５に記載のかみそり。
【請求項４０】
シェービング用かみそりであって、
ハンドルと、
前記ハンドル上に旋回するように取り付けられたカートリッジと、を備え、
当該カートリッジは、
前縁部及び後縁部を有するハウジングと、
前記前縁部及び前記後縁部の間の１枚以上のシェービングブレードと、
前記ハウジング上に取り付けられた、少なくとも１つの中実シェービングエイド部分を担持するシェービングエイドホルダーであって、前記シェービングエイド部分が前記カートリッジと共に旋回できるように構成されているシェービングエイドホルダーと、を含む、シェービング用かみそり。
【請求項４１】
前記シェービングエイドホルダーは、前記カートリッジの旋回を可能にするすきまを含む、請求項４０に記載のシェービング用かみそり。
【請求項４２】
シェービング方法であって、
かみそりカートリッジを皮膚に接触させることを備え、
当該かみそりカートリッジは、
前縁部及び後縁部を有するハウジングと、
前記前縁部及び前記後縁部の間の１枚以上のシェービングブレードと、
前記ハウジング上に取り付けられた、少なくとも１つの中実シェービングエイド部分を担持するシェービングエイドホルダーであって、シェービング中に前記シェービングエイド部分の表面に圧力が付加された時に、前記シェービングエイド部分が撓むことができるように構成されているシェービングエイドホルダーと、を含む、シェービング方法。
【請求項４３】
シェービング中に前記皮膚に対して水を塗布することを含む、請求項４２に記載の方法。
【発明の詳細な説明】
【技術分野】
【０００１】
本発明は、シェービング用のかみそり及びカートリッジに関する。
【背景技術】
【０００２】
湿式シェービング用のかみそりには通常、ハンドルにより支えられるブレードユニットが含まれ、ブレードユニットには、直線の鋭いエッジが付いた細長いブレード、又は平行なエッジを有する複数のそのようなブレードが含まれる。ブレードユニットは、ブレードエッジ（単数又は複数）が鈍くなった時にかみそり全体を廃棄するという意図のもとで、ハンドルに固定的に取り付けられてもよい。あるいは、ブレードユニットは、取外し可能にハンドルに連結されて、使用したブレードユニットを新しいブレードユニットと交換可能にすることができる。交換可能なブレードユニットは普通、カートリッジと呼ばれる。
【０００３】
ある毛を剃る人達は、特に女性は、このタイプのかみそりをシャワー中に使用する。例えば、女性は、その脚を剃る時、剃る予定の皮膚の区域に石鹸の薄膜又は泡を塗布してその区域を剃り、別の区域に石鹸を塗布してその区域を剃ることが多い。シェービングが完了するまで、このプロセスが繰り返される。この方法でのシェービングは、毛を剃る人の多くが滑り易いバスルームの床上にぎこちない姿勢で立ったままで、片手に湿った石鹸バーを保持して他方の手でかみそりを操ることを一般に必要とするので、困難でイライラさせることがある。
【０００４】
かみそり上に取り付けられた石鹸を提供することによって、この問題に対処しようという試みがなされた。例えば、米国特許第６，５８４，６９０号には、例えばカートリッジを取り巻く石鹸の塊の形体で、シェービング準備物を担持するかみそりが記載されている。
【発明の開示】
【発明が解決しようとする課題】
【０００５】
本発明は、シェービング中にシェービングエイドをユーザーの皮膚に放出する、かみそり及びかみそりカートリッジを特徴とする。幾つかの実施例においては、シェービングエイドは、潤滑性のシェービング準備物を包含して、かみそり及び別個の石鹸バーを危なっかしく扱う必要性をなくし、ユーザーがシャワー又は入浴中に容易にシェービングすることを可能にする。そのかみそりは、良好なシェービング性能を提供し、使用するのに快適であり、及びユーザーの皮膚上でうまく走行する傾向である。幾つかの実施例では、かみそりは、制限された又は到達が困難な区域内で使用することが容易なように構成されている。好ましいかみそりでは、カートリッジが、旋回するようにハンドル上に取り付けられて、シェービング中の良好な操作性をもたらす。
【課題を解決するための手段】
【０００６】
本発明は、一態様において、（ａ）前縁部及び後縁部を有するハウジングと、（ｂ）前縁部及び後縁部の間の１枚以上のシェービングブレードと、（ｃ）前記ハウジング上に取り付けられた、少なくとも１つの中実シェービングエイド部分を担持するシェービングエイドホルダーであって、シェービング中にシェービングエイド部分の表面に圧力が付加された時に、シェービングエイド部分が撓むことができるように構成されているシェービングエイドホルダーとが含まれる、シェービングカートリッジを特徴とする。
【０００７】
本発明は、別の態様において、（ａ）前縁部及び後縁部を有するハウジングと、（ｂ）前縁部及び後縁部の間の１枚以上のシェービングブレードと、（ｃ）前記ハウジング上に取り付けられた、一対の中実シェービングエイド部分を担持するシェービングエイドホルダーであって、２つのシェービングエイド部分が異なる組成物を有するシェービングエイドホルダーとが含まれる、シェービングカートリッジを特徴とする。
【０００８】
本発明は、更なる態様において、（ａ）前縁部及び後縁部を有するハウジングと、（ｂ）前縁部及び後縁部の間の１枚以上のシェービングブレードと、（ｃ）前記ハウジング上に取り付けられた、少なくとも１つの中実シェービングエイド部分を担持するシェービングエイドホルダーとが含まれ、ハウジングが一対の側縁部を有し、及びシェービングエイド部分が、側縁部のそれぞれの先へ０〜２ｍｍ延びている、シェービングカートリッジを特徴とする。
【０００９】
本発明は、別の態様において、ハンドルと、上で説明された特徴のいずれかを有する、ハンドル上に旋回するように取り付けられたカートリッジとが含まれる、シェービング用かみそりを特徴とする。
【００１０】
本発明は又、シェービング方法を特徴とする。例えば、本発明は、上で説明されたかみそりカートリッジのいずれかで皮膚に接触することが含まれる、シェービング方法を特徴とする。幾つかの方法では更に、シェービング中に水を皮膚に塗布することが含まれる。
【発明を実施するための最良の形態】
【００１１】
図１及び２を参照して、シェービング用かみそり１０には、使い捨てのカートリッジ１２及びハンドル１４が含まれる。図２に示されるように、カートリッジ１２には、カートリッジ１２をハンドル１４の連結部分１９に取外し可能に連結する連結部材１８と、連結部材１８に旋回するように連結されるブレードユニット１６と、ブレードユニット１６上に取り付けられたシェービングエイドホルダー３０とが含まれる。図１を参照して、ブレードユニット１６には、プラスチックハウジング２０、ハウジング２０の前部にガード２２、及びガード２２とハウジング２０の後部との間にブレード２８が含まれる。
【００１２】
ブレードユニット１６は、米国特許第５，６６１，９０７号に記載されるブレードユニットと類似であり、その開示全体を参考として本明細書に組み入れる。ハンドル１４は、米国特許第５，８５５，０７１号、第５，９５６，８５１号、及び第６，０５２，９０３号に記載されるものと類似であり、その開示全体を参考として本明細書に組み入れる。ブレードユニット１６をハンドル１４に連結するのに使用される連結部材１８については、以下で説明する。
【００１３】
以下で更に詳細に説明するように、ホルダー３０は、一対のシェービングエイド部分３１Ａ、３１Ｂを支える。前シェービングエイド部分３１Ａは、ブレード前方すなわちシェービング前の皮膚に接触し、後ろシェービングエイド部分３１Ｂは、ブレード後方の皮膚に接触する。したがって、シェービングエイド部分は、異なる組成物を有してもよく、例えば、前シェービングエイド部分には、潤滑剤などのシェービング準備成分が含まれてもよく、一方、後ろ部分には、皮膚軟化剤及び保湿剤などの皮膚鎮静及びコンディショニング成分が含まれてもよい。
【００１４】
シェービングエイド部分は、皮膚に接触する時に、標準的な撓みなし姿勢（図３Ｄ）から撓み姿勢（図３Ｅ）まで弾力的に撓むように取り付けられる。この撓みによって、脇の下の窪み（腋窩）又は膝の後ろなどの到達が困難又は制限された区域内で、かみそりが容易に使用できるようになる。シェービングエイド部分の撓みは又、シェービング中に過度の圧力をユーザーが付加する場合に、シェービングエイド部分の早過ぎる磨耗及びユーザーへの不快感を防ぐ。好ましくは、撓みの角度（図３Ｅ、角度Ａ）は、少なくとも約１０度、例えば約１０〜６０度、通常は約２０〜４０度である。角度Ａは、シェービングエイド部分がその撓みなし姿勢にある時に、エラストマーヒンジのほぼ中心に有る旋回点Ｐからシェービングエイド部分３１Ａの最高点まで線を引いて、シェービングエイド部分がその撓みなし姿勢にある時のこの線とシェービングエイド部分がその設計限界まで撓んだ時の同じ線との間の角度を測定することによって、測定される。シェービングエイド部分の弾力的取付けについては、以下で更に詳細に説明する。撓みなし姿勢（図３Ｄ）におけるシェービングエイド部分の高さＨ１及びＨ２は、変化するものであるが、例えば、約１〜４ｍｍ、例えば約１．５〜３．０ｍｍであってもよい。Ｈ１及びＨ２は一般に、互いの約０〜５０％内である。一般的に、２つのシェービングエイド部分の高さは、シェービングエイド部分がほぼ同時に使い尽くされるように、使用される組成物の磨耗速度に比例する。
【００１５】
ホルダー３０は、（例えば、シェービングエイド部分が含まれないシェービングエイドホルダーをカートリッジに追加することを消費者が望む場合に）カートリッジ本体から消費者により取外し可能であるように取り付けられてもよく、あるいは、カートリッジ本体上に永久的に取付けられても、又はカートリッジ本体と一体に成形されてもよい。図１〜５Ｃに示される実施形態では、ホルダー３０は、図１Ａに示されるように、留め具３２および３４（図３Ａ）がブレードユニットのハウジング２０の背面３７と係合することにより、カートリッジ上に留められる。ホルダー３０は、ハウジングを留め具３４の下側で滑らせ、次に留め具３２を撓ませてこれらを適所にスナップ留めすることによって、ハウジングと係合してもよい。
【００１６】
カートリッジ１２の様々な特徴を更に詳細にこれから説明する。
【００１７】
シェービングエイドホルダーの構造
図３を参照して、シェービングエイドホルダー３０には、ホルダー３０が適切な位置にある時にカートリッジ本体の周囲に広がる、フレーム部材３６が含まれる。一般に、フレーム部材３６は、成形プラスチックで形成される。好ましくは、ホルダーを適切な位置に確実に保持するために、フレーム部材の側部３８が、カートリッジ本体の側領域の上へ延びる。シェービング性能が損なわれないように、側部３８は一般に、ブレード端部の隣では十分に薄くされるべきである。好ましくは、ブレード端部に隣接する非常に薄い縁部４０から縁部の外側寄り区域までの間に、傾斜区域が設けられる。例えば、側部３８は一般に、縁部４０にて０．１５ｍｍ未満、及び縁部４０の約０．５ｍｍ内側寄りの線Ｌにて０．４ｍｍ未満の厚さを有する。この傾斜区域５９が、線Ｌとホルダー３０の外側縁部６３との間のレール６１を提供しており、これが、使用中のかみそりの走行を改善することがある。
【００１８】
図３Ｄ、４〜４Ｃ、及び５〜５Ｃを参照して、シェービングエイド部分３１Ａ及び３１Ｂは、一対のウイング４２、４４上に支えられる。ウイング４２、４４は、フレームと同じプラスチックで形成されもよく、又は異なる材料で形成されもよい。例えば、ウイングは、ウイングとフレームを結合するヒンジ５２、５４（図４Ａ、以下で説明する）と同じ材料で形成されてもよい。この場合、ウイング及びヒンジは、単一成形工程でフレームに上成形されてもよい。
【００１９】
ウイングには複数の穴４６（図４Ａ）が含まれ、これにより、シェービングエイドがウイングの厚さを通して流れて、ウイングの裏側上で（例えば、共に流れて一体の塊を形成することにより）機械的な噛み合いを形成し、シェービングエイドをウイングに固定することが可能になる。
【００２０】
エラストマーのバンパー４８、５０が、シェービングエイド部分の下にあるウイングの隅部に設けられており、その結果、シェービングエイド部分が使い尽くされた時に、ユーザーの皮膚は、硬いプラスチックよりもエラストマーに接触する。一般に、エラストマーバンパーは、少なくとも１ｍｍ、例えば約１．５〜３ｍｍの厚さＴ（図５Ｂ）を有する。好ましくは、そのエラストマーは、ユーザーの快適さのために比較的柔軟であり、その結果、ヒンジは、柔軟な屈曲性を有する。例えば、エラストマーは、約５０ショアＡ未満、例えば約４０ショアＡ未満の硬さを有してもよい。エラストマーは、例えば、商標名クラトン（KRATON）で入手可能なものなどのブロックコポリマーであってもよい。好ましくは、エラストマーは、十分な耐薬品性を有していて、シェービングエイド組成物の成分との長い接触の間に、劣化することがない。
【００２１】
図５Ｃを参照して、ウイング４２、４４は、それらの標準的な撓みなし姿勢においてさえも、ブレードエッジによって画定される平面より十分に下まで、下向きに曲がっている。この湾曲のために、シェービングエイド部分の上面がブレードエッジの平面より上に過度に遠く延びることなく、又はシェービングエイド部分の最低区域が低すぎて使用中に皮膚と全く接触しないことがなく、ウイングが、比較的大量の石鹸を担持することが可能になる。一般に、ウイング４２、４４のそれぞれの上の最低点は、ブレードエッジによって画定される平面から少なくとも約１ｍｍ下、例えばこの平面から約２〜６ｍｍ下である。所望の場合、例えばシェービングエイドが比較的耐摩耗性である場合には、ウイングは、フレームから比較的真直ぐ延びてもよい。
【００２２】
シェービングエイド部分の弾力的取り付け
シェービング中のシェービングエイド部分３１Ａ、３１Ｂの図３Ｄに示される標準姿勢から図３Ｅに示される撓み姿勢までの撓みを可能にするために、ウイング４２、４４は、フレーム部材３６上に弾力的に取り付けられる。可撓性のヒンジ５２、５４（図４Ａ）が、ウイングとフレームの間のこの弾力的連結をもたらす。
【００２３】
好ましくは、ヒンジ５２、５４は、エラストマー材たとえばブロックコポリマーで形成される。ヒンジは通常、上で説明されたエラストマーバンパー４８、５０と同一のエラストマー材で形成される。そのエラストマー材は、一般に、ユーザーの皮膚と接触するとウイングが容易に撓み、その上に良好なばね戻りもウイングにもたらすように、柔軟な屈曲性を提供するべく選定される。例えば、エラストマー材は、約０．６９〜２．０７ＭＰａ（１００〜３００ｐｓｉ）の曲げ弾性率を有してもよい。所望の製品特性を提供する弾性率は、ヒンジの厚さＴ及び長さＬ（図４Ｃ）に依存する。２つのヒンジの厚さ及び長さは、同じにも異なるものにもすることができ、並びにこれらの寸法及び使用されるエラストマー材は、２つのウイングに所望の曲げ特性を付与するように選定可能である。ヒンジの厚さは、例えば、約０．５〜２．０ｍｍであってもよく、長さは、約０．５〜３．０ｍｍであってもよい。図４〜４Ｃに示される実施形態では、ヒンジは、ホルダー３０のほぼ全幅に広がっている。しかしながら、所望の場合、ヒンジは、より短くてもよく、又は不連続のヒンジ部分からなってもよい。
【００２４】
エラストマーヒンジは、フレームに上成形されてもよい。この加工を助けるために、図４〜５Ｃに示される実施形態では、フレームは、フレームからウイングまで一体的に延びる一対の連結部材５６によって、ウイングのそれぞれに連結されている（図５Ａ）。所望の場合、これらの連結部材は、上成形が完了した後で、切断されてもよい。別の方法としては、ウイング及びフレームは、別個の構成要素であって、これらが、挿入型の中に置かれて、エラストマーで上成形されてもよい。エラストマー単独で（すなわち、硬質プラスチックが実質的に無く）ヒンジを形成すると、ある場合には、より柔軟に曲がるヒンジという結果になり得る。
【００２５】
シェービングエイド部分の輪郭
図３Ｄを参照して、前シェービングエイド部分３１Ａには、皮膚に接触するとシェービングエイド部分の撓みを引き起こすような輪郭にされた傾斜先導表面３３が含まれ、その結果、シェービング中にシェービングエイド部分３１Ａが皮膚に接触する時に、カートリッジが揺れ戻ることはない。図３及び３Ｃに見ることができるように、シェービングエイド部分３１Ａの先導縁部１１０は、ホルダー３０の側面に隣接する第一の厚さｔ１を有し、シェービングエイド部分の中央領域に隣接する第二のより薄い厚さｔ２に向かって先細になっている。この形状により、前シェービングエイド部分が、傾斜先導表面３３を有し、それでも可能な限り多くのシェービングエイドを側面に隣接して提供することができる。所望の場合、先導縁部の全体が、より薄い厚さｔ２を有することもできる。シェービングエイド部分３１Ａの前面３５には、滑らかな曲線の弧状側面区域３７Ａ、３７Ｂが含まれ、先導表面３３の石鹸を撓ませる輪郭を強化及びシェービング中に不快にする場合もある縁部及び隅部を削除すると共に、腋窩及び膝の後ろなどの狭い区域のシェービングを容易にしている。同様に、先導表面３３と前面３５の交差部３９にも、滑らかな丸みが付いている。
【００２６】
前シェービングエイド部分３１Ａ及び後ろシェービングエイド部分３１Ｂは両方とも、ウイング４４が撓んだ時に、それぞれのシェービングエイド部分の上面（シェービングエイド部分３１Ａの表面４１及びシェービングエイド部分３１Ｂの表面４３）が、ユーザーの皮膚に対して比較的平らとなるような形状にされている。図３Ｅに示されるこの平らな姿勢により、可能な限り多くのシェービングエイドが、シェービング中にユーザーの皮膚に接触することが可能になる。
【００２７】
シェービングの容易さ
シェービングエイド部分３１Ａ、３１Ｂは、それらの最大幅点（図３Ｂ）において、ホルダー３０のフレーム３６の幅に等しいか又はわずかに狭い幅Ｗを有する。したがって、シェービングエイド部分が、フレーム３６の側壁より先に延びることはない。その結果、フレームの側壁周りの区域には妨げるものがないので、毛を剃る人が、視覚及び／又は触感により、どの区域を剃ったか決定することができる。所望の場合、シェービングエイド部分は、フレームの側壁の先へわずかに、例えば各側で２ｍｍ以下だけ延びてもよい。
【００２８】
シェービングは、上で説明されたレール６１（図３、４Ｂ）によっても容易にされており、これがシェービング中にユーザーの皮膚に係合して、可能性としてカートリッジの走行を改善することができる。
【００２９】
旋回するカートリッジ／ハンドル連結部
図１及び２を参照して、上で説明したように、かみそり１０には、使い捨てのカートリッジ１２及びハンドル１４が含まれる。図２に示すように、カートリッジ１２には、カートリッジ１２をハンドル１４の連結部分１９に取外し可能に連結する連結部材１８と、連結部材１８に対して旋回するように連結されたブレードユニット１６とが含まれる。
【００３０】
連結部材１８が、図６〜６Ａにて詳細に示される。連結部材１８には、ハンドル１４上の延長部１２６（図９）に取外し可能かつ固定的に取り付けられる基部１２７と、図８に示されるようにその２つの側面でブレードユニット１６を旋回するように支持する２つのアーム１２８とが含まれる。したがって、以下で更に詳細に説明されるように、基部１２７が、ハンドル１４の連結部分１９に連結され、一方、アーム１２８が、ブレードユニット１６に連結される。可撓性のばね復帰体１４５が、基部１２７から延び、及びブレードユニット１６上のカム表面に対して作用して、ブレードユニット１６を前方に偏倚した静止向きとする。図２に示すように、ばね復帰体には、基部１２７の成形を容易にする曲り部２００が含まれる。
【００３１】
まず、図６〜８を参照して、アーム１２８のブレードユニット１６への連結を説明する。
【００３２】
最初に図７Ａを参照して、ブレードユニットのハウジング２０の底部に、延長部１３４、１３６が配置されている。延長部１３４、１３６は、曲り表面４２０、４４０をそれぞれ有する、内向きに延びた対向する曲面状レール１３８、１４１を支える。ハウジング２０の下面４６０、４８０が、同様の曲面であって、米国特許第４，４８８，３５７号、第４，４９８，２３５号、第４，４９２，０２５号、第４，５７３，２６６号、第４，５８６，２５５号、第４，７５６，０８２号にて詳細に記載されるように、延長部１３４、１３６と共に旋回連結構造を提供しており、これらの特許を参考として本明細書に組み入れる。
【００３３】
曲面状レール１３８、１４１は、ハウジング２０の下面４６０、４８０とあいまって、連結部材１８のアーム１２８（図６）を受け入れるように適合された、弧状スロット９８、１００を画定する。アーム１２８は、下面４６０、４８０に係合する、シェル軸受面を画定する。このように、アーム１２８すなわち「シェル軸受」は、表面４６０、４８０と協働して、ブレード組立体のかみそりハンドル１４への旋回連結を助ける。この噛み合い係合を、本明細書において「シェル軸受連結」と呼ぶ。
【００３４】
レール１３８、１４１の上面とハウジングの下面４６０、４８０は、旋回軸線の周りに曲率半径を有しており、旋回軸線は、例えばブレードユニットの第二のブレード２０１（図７）の切断エッジに位置してもよい。延長部１３４、１３６の曲面４２０、４４０も、同様に旋回軸線周りで曲線状である。これらの相補的な表面によってなされる旋回移動のためのすきまを提供するために、シェービングエイドホルダー３０には，切り取り区域７０（図３Ａ）が含まれる。
【００３５】
シェル軸受は、米国特許第５，６６１，９０７号に記載されるように、前向き旋回停止位置及び後ろ向き旋回停止位置を提供する、停止面（複数）（図示せず）を有する。シェル軸受は又、曲線状下面４６０、４８０上にそれぞれ形成された停止面１３５、１３７（図７）と噛み合う窪み（図示せず）を有し、後ろ向き旋回停止位置を補完して、更なる「下向き」移動を防ぐ。
【００３６】
図７を参照して、ハウジング２０の底部に、カム表面２５０が形成されている。表面２５０は、２つの反対側に傾斜する同一サイズの表面と、カム表面２５０の前部と後部の間の中間点に位置する頂点とを有する。カム表面２５０は、シェービング中にブレードユニットが前向き及び後ろ向きに同程度旋回することを可能にしており、及びばね体１４５を受け入れてカートリッジを全回転例えば４０から４５度までの弧の範囲内で偏倚させるように適合されている。
【００３７】
ここで、図６〜６Ａ及び９〜１１を参照して、基部１２７のハンドル１４の連結部分１９への連結を説明する。
【００３８】
図６Ａ及び１０を参照して、基部１２７は、内向き表面１３４により部分的に画定されるハンドル受入れ領域１３２を有する。連結入口１３６（図１０）が、ハンドル受入れ領域１３２へのアクセスを提供する。内向き表面１３４が、ハンドル１４の延長部１２６上の外向き表面１３８（図１１）と噛み合う。基部１２７は又、ハンドル１４上の角度付き表面１４２を受け入れるための角度付き窪み領域１４０を有する。
【００３９】
図６Ａ及び１１を参照して、基部１２７は、基部の底壁２４６に形成されたラッチ部材２４４を有する。ラッチ部材２４４は、片持ちビーム構造を有し、及び基部領域２４８において底壁２４６に連結されている。ラッチ部材２４４は、米国特許第５，９５６，８５１号に記載されるように、係合部材１５４の自由端部において外向き（すなわち、図１０の連結軸線７６に沿って左方への）成分を有する力がかけられると旋回する傾向があり、その特許を上記の参考として組み入れる。底壁２４６は又、ラッチ部材４４の旋回を推進するための溝２５６を有する。
【００４０】
２つの突出部１５８（図６Ａ及び１０）が、ハンドル１４の延長部１２６の下面に形成された凹部１６０（図１１）と相互作用するために、ラッチ部材２４４から上向きに延びる。各突出部１５８は、前阻止面１６２と、上面１６４と、角度付き導入面１６６とを有しており、導入面が、連結軸線７６と約４５度の角度をなして、延長部１２６が、基部１２７への連結及びこれからの引込み中にこれに沿って移動する。他の角度、例えば３０〜６０度の間を使用することも可能である。凹部１６０も同様に、突出部１５８の前阻止面１６２と相互作用するための前面１６８と、上面１６４及び導入面１６６をそれぞれ受け入れるための上面１７０及び後ろ角度付き面１７２を有する。突出部１５８の前阻止面１６２は、連結軸線７６と約９０度の角度を作る。
【００４１】
ハンドル１４に対するカートリッジ１２の連結及び連結解除中のハンドル１４及びカートリッジ１２の構成要素の相互作用は、米国特許第５，９５６，８５１号にて更に詳細に説明されており、その開示を上記の参考として組み入れる。手短に言えば、ハンドル１４の延長部１２６がハンドル受入れ領域１３２の中へ移動される時、延長部１２６の傾斜面９０（図１１）が、導入面１６６に乗り上げる。このことが、ラッチ部材２４４及び特にその上の突出部１５８を、連結軸線７６及び挿入方向に対して実質的に垂直な撓み軸線に沿って、下向きに移動させる。
【００４２】
傾斜面９０が突出部１５８を過ぎて前進し、及びラッチ部材２４４がラッチ位置まで移動して突出部１５８が延長部１２６の凹部１６０の中へスナップ留めされた時、カートリッジ１２は、ハンドル１４にしっかりと取り付けられて、使用中の無意図的な脱離の可能性はほとんどない。その取り付けは、ハンドル１４上の表面１６８（図１１）とカートリッジ１２上の阻止面１６２（図１０）との干渉のために、特に確実である。その２つの連結を解くためには延長部１２６が基部１２７に相対的にそれに沿って移動を要する軸線７６に対して、表面１６２及び１６８は、実質的に垂直である。したがって、ラッチ部材２４４が最初にラッチを解かれない場合、カートリッジ１２をハンドル１４から連結解除するためには、軸線７６に沿って非常に大きな力を及ぼす必要がある。
【００４３】
ハンドル１４の連結部分１９が、図９〜９Ｂ及び１１にて詳細に示される。図９を参照して、カートリッジ支持構造体１４２が、ハンドル１４の端部から延びる。カートリッジ支持構造体１４２には、上で説明された台形延長部１２６と、カートリッジ１２のハンドル１４からの排出をもたらす構成要素群とが含まれる。
【００４４】
ばね偏倚プランジャー１４４と、ばね１４６と、Ｕ形状イジェクト１４８とが、カートリッジ支持構造体１４２の窪み１４９に受け入れられている。イジェクトボタン１５０が、支持構造体１４２の上面の開口部１５２に受け入れられ、及びイジェクト１４８の後部の細い部分における方形領域内１５６に受け入れられた底延長部１５４を有する。これらの構成要素については、米国特許第５，８５５，０７１号にて詳細に説明されており、その開示が上記の参考として組み入れられた。イジェクト１４８は、ハンドル１４のハンドル連結構造体内の窪みの中に摺動可能に取り付けられ、及びハンドル１４上のボタン１５０を動かすことにより、わずかに前進することができる。
【００４５】
ユーザーがカートリッジ１２をハンドル１４から連結解除することを望む時、ボタン１５０が、延長部１２６に相対的にラッチを解く方向へ移動され、このことが、イジェクト１４８を軸線７６に沿って排出方向へ移動させる。イジェクト１４８（図１１）が、係合部材１５４を外向きに押して、ラッチ部材２４４が基部領域２４８にて曲がる時、突出部１５８を下向きに移動させる。この下向き移動により、突出部１５８が凹部１６０から離れて、延長部１２６がラッチ部材２４４から解き放たれ、その結果、延長部１２６が、基部１２７に相対的に引込み方向へ移動する。次に、新しいカートリッジが、上で説明されたように、ハンドルの連結部分１９をハンドル受入れ領域１３２に挿入することによって、ハンドル上に取り付けられてもよい。
【００４６】
シェービングエイドの処方
いかなる所望の処方が使用されて、シェービングエイド部分を形成してもよい。好ましくは、シェービングエイド部分は、カートリッジの意図された寿命の間は持続するように、十分な耐磨耗性を有する。しかしながら、所望の場合、シェービングエイドホルダーが、消費者により取外し可能及び交換可能であってもよく、その場合、シェービングエイド部分は、カートリッジの交換が必要となる前に、使い尽くされてもよい。
【００４７】
ある場合には、シェービングエイド部分は、石鹸たとえば注入石鹸または押出し石鹸を包含してもよい。そのような石鹸系の組成物は、その硬さ、耐磨耗性、潤滑性、並びに／又は皮膚加湿及びコンディショニング特性を高めるために、変成されてもよい。
【００４８】
磨耗インジケータ
所望の場合、シェービングエイド部分は、いつカートリッジが交換されるべきかをユーザーに表示する、磨耗インジケータの働きをしてもよい。最も簡単な実施例では、シェービングエイド部分は、上で説明されたように、カートリッジの意図された寿命の最後に使い尽くされるように処方することができ、その結果、シェービングエイドの消耗が、カートリッジを交換すべきことをユーザーに示すことになる。別の実施例では、シェービングエイド部分は、埋め込まれたしるし、たとえば予め定められた量のシェービングエイドが洗い去られた時に出現するロゴ又は言葉を包含してもよく、又はしるしが、シェービングエイド上にエンボス加工されて、シェービングエイドの使用につれて消滅してもよい。これらの場合、しるしの出現または消滅がそれぞれ、カートリッジを交換すべきことをユーザーに示すことになる。同様に、潤滑性ストリップが、シェービングエイド部分（単数又は複数）の下にあるウイングの片方又は両方の上に取り付けられてもよい。この場合、シェービングエイドが使い尽くされた時、潤滑性ストリップが露呈されて、カートリッジを交換すべきことを表示する。潤滑性ストリップは、ユーザーがカートリッジを交換可能になるまでの期間、潤滑及び皮膚コンディショニングという追加効果をもたらす。
【００４９】
その他の実施形態
他の実施形態は、次の請求項の範囲内にある。
【００５０】
例えば、特定のカートリッジ及びハンドルのタイプを上で説明したが、シェービングエイドホルダーは、いかなる所望のタイプのカートリッジ及び／又はハンドルと共に使用されてもよい。異なるカートリッジ形状が使用される場合、シェービングエイドホルダーのフレーム形状及び／又はシェービングエイドホルダーの寸法は、それに応じて調整されてもよい。
【００５１】
その上、２つのシェービングエイド部分が図に示されて上で説明されたが、所望の場合、シェービングエイドホルダーには、単一のシェービングエイド部分だけが、例えばシェービング準備組成物だけが望まれる場合は前シェービングエイド部分が、又は皮膚コンディショニングだけが望まれる場合（例えば、ユーザーが、石鹸バー又はシェービングジェルなどの別個のシェービング準備物を使用する場合）は後ろ部分が、含まれてもよい。この場合、シェービングエイドホルダーには一般に、単一のウイング部材及び可撓性ヒンジだけが含まれる。
【００５２】
更に加えて、上で説明されたウイングにはシェービングエイドを適切な場所に固定するための開口が含まれていたが、シェービングエイドがウイングに対して十分な接着性を示す又は異なる方法でウイングに取り付けられる場合、中実のウイングが使用されてもよい。また、上で説明された可撓性ヒンジはエラストマー材で形成されていたが、ある場合、例えば「一体成形ヒンジ」では、ヒンジが、硬質プラスチックで形成されてもよい。
【００５３】
幾つかの実施形態では、潤滑性ストリップを有するキャップが、例えばカートリッジハウジングの後部のスロット内に取り付けられて、カートリッジに含まれてもよい。潤滑性ストリップは、当技術分野において既知のように、並びに例えば米国特許第５，１１３，５８５号及び第５，４５４，１６４号に記載されるように、疎水性材料と水をろ過可能な親水性ポリマー材料との混合物を含む材料で作製されてもよく、これらの特許を参考として本明細書に組み入れる。
【００５４】
本発明の１つ以上の実施形態の詳細を、添付図及び以下の説明に示す。本発明の他の特徴及び利点は、その説明及び図面から明らかであろう。
【図面の簡単な説明】
【００５５】
【図１】本発明の一実施形態によるかみそりのヘッド及び首部分の斜視図。
【図１Ａ】図１に示されるヘッド及び首部分の、後ろから見た斜視図。
【図２】図１のかみそりの分解斜視図。
【図３】図１に示されるカートリッジのホルダー部分の、上から見た斜視図。
【図３Ａ】図３に示されるホルダーの、下から見た斜視図。
【図３Ｂ】図３に示されるホルダーの平面図。
【図３Ｃ】図３に示されるホルダーの正面図。
【図３Ｄ】図３に示されるホルダーの側面図。
【図３Ｅ】撓んだ姿勢のホルダーのウイングを示す側面図（図３Ｄにおいて、標準姿勢の側取付け部が示されている）。
【図４】シェービングエイド部分が取り去られたホルダーの斜視図。
【図４Ａ】シェービングエイド部分が取り去られたホルダーの平面図。
【図４Ｂ】シェービングエイド部分が取り去られたホルダーの正面図。
【図４Ｃ】シェービングエイド部分が取り去られたホルダーの側面図。
【図５】シェービングエイド部分及びエラストマー部分が取り去られたホルダーの斜視図。
【図５Ａ】シェービングエイド部分及びエラストマー部分が取り去られたホルダーの平面図。
【図５Ｂ】シェービングエイド部分及びエラストマー部分が取り去られたホルダーの正面図。
【図５Ｃ】シェービングエイド部分及びエラストマー部分が取り去られたホルダーの側面図。
【図６】図１に示されるかみそりにおいてカートリッジをハンドルに連結するのに使用される連結部材の、異なる角度から見た斜視図。
【図６Ａ】図１に示されるかみそりにおいてカートリッジをハンドルに連結するのに使用される連結部材の、異なる角度から見た斜視図。
【図７】図１に示されるかみそりのブレードユニットの斜視図。
【図７Ａ】図１に示されるかみそりのブレードユニット端面図。
【図８】図６及び６Ａに示される連結部材によってハンドルに連結された図７及び７Ａのブレードユニットの、後ろから見た斜視図。
【図９】図２に示されるハンドルの上端部におけるハンドル連結構造体の分解図。
【図９Ａ】図２に示されるハンドルの上端部におけるハンドル連結構造体平面図。
【図９Ｂ】図２に示されるハンドルの上端部におけるハンドル連結構造体側面図。
【図１０】図６〜６Ａに示される連結部材の後ろ部分の断面図。
【図１１】図９〜９Ａに示されるハンドル連結構造体の対応する部分の、図９Ａの線１１−１１における断面図。
【図１】
2008516677.tif 000003
【図１Ａ】
2008516677.tif 000004
【図２】
2008516677.tif 000005
【図３】
2008516677.tif 000006
【図３Ａ】
2008516677.tif 000007
【図３Ｂ】
2008516677.tif 000008
【図３Ｃ】
2008516677.tif 000009
【図３Ｄ】
2008516677.tif 000010
【図３Ｅ】
2008516677.tif 000011
【図４】
2008516677.tif 000012
【図４Ａ】
2008516677.tif 000013
【図４Ｂ】
2008516677.tif 000014
【図４Ｃ】
2008516677.tif 000015
【図５】
2008516677.tif 000016
【図５Ａ】
2008516677.tif 000017
【図５Ｂ】
2008516677.tif 000018
【図５Ｃ】
2008516677.tif 000019
【図６】
2008516677.tif 000020
【図６Ａ】
2008516677.tif 000021
【図７】
2008516677.tif 000022
【図７Ａ】
2008516677.tif 000023
【図８】
2008516677.tif 000024
【図９】
2008516677.tif 000025
【図９Ａ】
2008516677.tif 000026
【図９Ｂ】
2008516677.tif 000027
【図１０】
2008516677.tif 000028
【図１１】
2008516677.tif 000029
【国際調査報告】
2008516677.tif 000030
2008516677.tif 000031
2008516677.tif 000032
2008516677.tif 000033
2008516677.tif 000034